(57)【要約】【課題】装飾性を向上することができる、ゴルフクラブヘッド及びその製造方法を提供する。【解決手段】本発明に係るゴルフクラブヘッドは、フェース部と、クラウン部と、ソール部と、を備え、前記ソール部の表面には、少なくとも一つの隆起部と、前記隆起部の周囲の少なくとも一部に、形成された溝部と、が形成され、前記隆起部の周囲と前記溝部との間の少なくとも一部に隙間部が形成され、前記溝部には塗料が入れられている。【選択図】図５
2020174896.tif 000002
【特許請求の範囲】
【請求項１】
フェース部と、
クラウン部と、
ソール部と、
を備え、
前記ソール部の表面には、少なくとも一つの隆起部と、前記隆起部の周囲の少なくとも一部に、形成された溝部と、が形成され、
前記隆起部の周囲と前記溝部との間の少なくとも一部に隙間部が形成され、
前記溝部には塗料が入れられている、ゴルフクラブヘッド。
【請求項２】
前記隙間部の幅は、０．４〜１．５ｍｍである、請求項１に記載のゴルフクラブヘッド。
【請求項３】
前記隆起部の周囲と前記溝部との間には、前記隙間部が形成されている部分と、前記隙間部が形成されてない部分と、が設けられている、請求項１または２に記載のゴルフクラブヘッド。
【請求項４】
前記隙間部が形成されている部分における前記隆起部の高さは、前記隙間部が形成されてない部分における前記隆起部の高さよりも、高い、請求項３に記載のゴルフクラブヘッド。
【請求項５】
前記隆起部の高さは、前記ソール部の中心側よりも縁部側において、高く形成されている、請求項１から４のいずれかに記載のゴルフクラブヘッド。
【請求項６】
前記隆起部は、トゥ−ヒール方向のトゥ側に形成されている、請求項１から５のいずれかに記載のゴルフクラブヘッド。
【請求項７】
ゴルフクラブヘッドであって、
フェース部と、
クラウン部と、
ソール部と、
を備え、
前記ソール部の表面には、少なくとも一つの隆起部が形成され、
前記隆起部には、当該ゴルフクラブヘッドに関連する表示が施されている、ゴルフクラブヘッド。
【請求項８】
フェース部と、クラウン部と、ソール部と、を備え、前記ソール部の表面には、少なくとも一つの隆起部と、前記隆起部の周囲の少なくとも一部に、形成された溝部と、が形成され、前記隆起部の周囲と前記溝部との間の少なくとも一部に隙間部が形成された、ゴルフクラブヘッドを準備するステップと、
前記溝部に塗料を塗布するステップと、
前記溝部からはみ出した塗料を、拭き取るステップと、
を備えている、ゴルフクラブヘッドの製造方法。
【発明の詳細な説明】
【技術分野】
【０００１】
本発明は、ゴルフクラブヘッド、及びその製造方法に関する。
【背景技術】
【０００２】
ウッド型のゴルフクラブヘッドは、従来から、多くの改良がなされてきており、例えば、特許文献１では、ソール部の表面に隆起部を形成し、これによって低重心化を図っている。
【先行技術文献】
【特許文献】
【０００３】
【特許文献１】特許第５６７８００４号公報
【発明の概要】
【発明が解決しようとする課題】
【０００４】
ところで、近年はゴルフクラブヘッドの装飾性が求められており、上述したような隆起部を有するゴルフクラブヘッドにも装飾性が求められる。本発明は、上記問題を解決するためになされたものであり、隆起部を有するゴルフクラブヘッドにおいて、装飾性を向上することができる、ゴルフクラブヘッド及びその製造方法を提供することを目的とする。
【課題を解決するための手段】
【０００５】
本発明に係る第１のゴルフクラブヘッドは、フェース部と、クラウン部と、ソール部と、を備え、前記ソール部の表面には、少なくとも一つの隆起部と、前記隆起部の周囲の少なくとも一部に、形成された溝部と、が形成され、前記隆起部の周囲と前記溝部との間の少なくとも一部に隙間部が形成され、前記溝部には塗料が入れられている。
【０００６】
上記ゴルフクラブヘッドにおいて、前記隙間部の幅は、０．４〜１．５ｍｍとすることができる。
【０００７】
上記ゴルフクラブヘッドにおいて、前記隆起部の周囲と前記溝部との間には、前記隙間部が形成されている部分と、前記隙間部が形成されてない部分と、を設けることができる。
【０００８】
上記ゴルフクラブヘッドにおいて、前記隙間部が形成されている部分における前記隆起部の高さは、前記隙間部が形成されてない部分における前記隆起部の高さよりも、高くすることができる。
【０００９】
上記ゴルフクラブヘッドにおいて、前記隆起部の高さは、前記ソール部の中心側よりも縁部側において、高く形成することができる。
【００１０】
上記ゴルフクラブヘッドにおいて、前記隆起部は、トゥ−ヒール方向のトゥ側に形成することができる。
【００１１】
本発明に係る第２のゴルフクラブヘッドは、フェース部と、クラウン部と、ソール部と、を備え、前記ソール部の表面には、少なくとも一つの隆起部が形成され、前記隆起部には、当該ゴルフクラブヘッドに関連する表示が施されている。
【００１２】
本発明に係るゴルフクラブヘッドの製造方法は、フェース部と、クラウン部と、ソール部と、を備え、前記ソール部の表面には、少なくとも一つの隆起部と、前記隆起部の周囲の少なくとも一部に、形成された溝部と、が形成され、前記隆起部の周囲と前記溝部との間の少なくとも一部に隙間部が形成された、ゴルフクラブヘッドを準備するステップと、前記溝部に塗料を塗布するステップと、前記溝部からはみ出した塗料を、拭き取るステップと、を備えている。
【発明の効果】
【００１３】
本発明に係るゴルフクラブヘッドによれば、装飾性を向上することができる。
【図面の簡単な説明】
【００１４】
【図１】本実施形態に係るゴルフクラブヘッドの斜視図である。
【図２】図１のゴルフクラブヘッドの基準状態での平面図である。
【図３】基準状態にあるゴルフクラブヘッドを下方から見た平面図である。
【図４Ａ】フェース部の境界を説明する図である。
【図４Ｂ】フェース部の境界を説明する図である。
【図５】図１のゴルフクラブヘッドのソール部をトゥ側から見た斜視図である。
【図６】図５のＡ−Ａ線断面図である。
【図７】図１のゴルフクラブヘッドのソール部の隆起部をフェース側が見た斜視図である。
【図８】図７のＢ−Ｂ線断面図である。
【図９】図１のゴルフクラブヘッドのソール部の隆起部をバック側が見た斜視図である。
【図１０】図９のＣ−Ｃ線断面図である。
【図１１Ａ】装飾用塗料の塗布を説明する断面図である。
【図１１Ｂ】装飾用塗料の塗布を説明する断面図である。
【図１１Ｃ】装飾用塗料の塗布を説明する断面図である。
【図１１Ｄ】装飾用塗料の塗布を説明する断面図である。
【図１２Ａ】隙間部とソール部の表面との関係の他の例を示す断面図である。
【図１２Ｂ】隙間部とソール部の表面との関係の他の例を示す断面図である。
【発明を実施するための形態】
【００１５】
以下、本発明に係るゴルフクラブヘッドの一実施形態について、図面を参照しつつ説明する。
【００１６】
＜１．ゴルフクラブヘッドの概要＞
図１は、このゴルフクラブヘッドの斜視図、図２は、ヘッドの基準状態での平面図、図３は、基準状態にあるゴルフクラブヘッドを下方から見た平面図である。図１〜図３に示すように、このゴルフクラブヘッド（以下、単に「ヘッド」ということがある）１０は、内部空間を有する中空構造であり、フェース部１、クラウン部２、ソール部３、及びホーゼル部４によって壁面が形成された、ウッド型のゴルフクラブヘッドである。具体的には、ユーティリティ（ハイブリッド）、フェアウェイウッド、ドライバーといったゴルフクラブヘッドに適用することができる。
【００１７】
フェース部１は、ボールを打球する面であるフェース面を有しており、クラウン部２はフェース部１と隣接し、ヘッド１０の上面を構成する。ソール部３は、主としてヘッド１０の底面を構成し、フェース部１とクラウン部２以外のヘッド１０の外周面を構成する。すなわち、ヘッド１０の底面のほか、フェース部１のトウ側からヘッドのバック側を通りフェース部１のヒール側へと延びる部位もソール部３の一部である。また、図３に示すように、ソール部３のバック側には、ウエイト部材（図示省略）が取り付けられるための固定穴３８が形成されている。固定穴３８の内壁面には、ウエイト部材に取り付けられた雄ねじが螺合する雌ねじ（図示省略）が形成されている。
【００１８】
ホーゼル部４は、クラウン部２のヒール側に隣接して設けられる部位であり、ゴルフクラブのシャフト（図示省略）が挿入される挿入孔４１を有し、ヘッドの内部まで延びる筒状に形成されている。そして、この挿入孔４１の中心軸線Ｚは、シャフトの軸線に一致している。
【００１９】
ここで、ゴルフクラブヘッド１０を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。また、トゥ−ヒール方向及びフェース−バック方向に直交する方向を上下方向と称することがある。
【００２０】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２１】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１０の重心の真上から見たときの輪郭が境界となる。
【００２２】
ヘッド１０は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２３】
このゴルフクラブヘッド１０の体積は、例えば、９０ｃｍ3以上、４７０ｃｍ3以下が望ましい。
【００２４】
＜２．ソール部の構造＞
次に、ソール部３の構造について、図３とともに、図５〜図１０も参照しつつ説明する。図５はトゥ側から見た斜視図、図６は図５のＡ−Ａ線断面図、図７はソール部の隆起部をフェース側が見た斜視図、図８は図７のＢ−Ｂ線断面図、図９はソール部の隆起部をバック側が見た斜視図、図１０は図９のＣ−Ｃ線断面図である。なお、図５〜図１０においては、図３に示したマーク７を省略している。
【００２５】
図３に示すように、ソール部３の表面には、トゥ側の端部に近接し、且つフェース−バック方向の中心付近に配置された矩形状の隆起部３１を備えており、その周縁を囲むように矩形状の第１溝部３２が形成されている。そして、この第１溝部３２には、後述するように装飾用塗料８が塗布されている。また、隆起部３１のバック側の縁部に沿って第２溝部３３が形成されている。さらに、隆起部３１のバック側には、固定穴３８が形成されている。
【００２６】
まず、隆起部３１について説明する。隆起部３１は、ソール部３の表面から隆起した平面視矩形状の部位であり、周壁面と、上壁面とで構成されている。ここでは、説明の便宜のため、隆起部３１の周壁面において、フェース側の壁面、トゥ側の壁面、バック側の壁面、及びヒール側の壁面を、それぞれ、第１壁面３１１、第２壁面３１２、第３壁面３１３、及び第４壁面３１４と称することとする。第１壁面３１１は、フェース部１からやや離れ、フェース部１と概ね平行に延びている。第２壁面３１２は、ソール部３のトゥ側の縁部に近接し、この縁部に沿って円弧状に延びている。第３壁面３１３は、トゥ側からヒール側にいくにしたがってフェース側に近づくように形成されており、ヒール側の端部は、第１壁面３１１のヒール側の端部よりもさらにヒール側に位置している。そして、第４壁面３１４は、フェース−バック方向に延びつつ、トゥ側にいくにしたがって、フェース側に延びるよう形成されている。
【００２７】
この隆起部３１は、ソール部３の表面からの高さが一定ではなく、変化している。例えば、図５に示すように、トゥ側を向く第２壁面３１２の高さは概ね一定であるが、図７に示すように、フェース側を向く第１壁面３１１は、トゥ側からヒール側にいくにしたがって低くなっており、ヒール側の端部付近ではソール部３の表面と同じになっている。また、ヒール側を向く第４壁面３１４は、フェース側にいくにしたがって低くなっており、フェース側の端部付近ではソール部３の表面と同じになっている。さらに、図９に示すように、バック側を向く第３壁面３１３は、ヒール側にいくにしたがってわずかに低くなっている。したがって、本実施形態に係る隆起部３１は、概ねトゥ側にいくにしたがってソール部３の表面からの高さが高くなっている。
【００２８】
具体的な隆起部３１の高さは、特には限定されないが、例えば、１．０〜２．０ｍｍとすることができ、１．２〜１．６ｍｍとすることが好ましい。
【００２９】
また、図３に示すように、隆起部３１の上壁部には、マーク（表示）７が形成されている。このマーク７は、このクラブの番手を示すものであり、本実施形態では、５番を示している。このマーク７は、上壁部の表面を凹ませることで形成されている。但し、隆起させることで形成したり、あるいは塗料によって形成することもできる。
【００３０】
次に、第１溝部３２について説明する。第１溝部３２は、第１部位３２１、第２部位３２２、第３部位３２３、及び第４部位３２４を連結することで矩形状に形成されている。第１部位３２１は、隆起部３１の第１壁面３１１に沿って延び、第１壁面３１１からさらにヒール側へ延びている。第２部位３２２は、第２壁面３１２に沿って延びており、第２壁面３１２とほぼ同じ長さに形成されている。第３部位３２３は、第３壁面３１３に沿って延び、第３壁面３１３よりもさらにヒール側に延びている。この第３部位３２３は、第１部位３２１のヒール側の端部よりも、さらにヒール側に延びている。そして、第４部位３２４は、第３部位３２３と第１部位３２１のヒール側の端部同士を連結するように延びている。
【００３１】
このように、第１溝部３２は、隆起部３１の第１壁面３１１、第２壁面３１２、及び第３壁面３１３に沿って延びているが、隆起部３１よりもさらにヒール側の部位も囲むように延びている。但し、この部位は、後述する隙間部には該当しない。なお、第１溝部３２の幅は、特には限定されないが、例えば、０．６〜１．５ｍｍとすることができる。また、第１溝部３２の深さも、特には限定されないが、例えば、０．３〜０．８ｍｍとすることができる。
【００３２】
また、隆起部３１と第１溝部３２との間の一部には、隙間部３５が形成されている。例えば、図６に示すように、第２壁面３１２と第２部位３２２との間には、隙間部３５が形成されている。すなわち、第２壁面３１２の下端と第２部位３２２との間には概ね平坦な隙間部３５が形成されている。同様に、図１０に示すように、第３壁面３１３と第３部位３２３との間にも、隙間部３５が形成されている。但し、図７に示すように、第１壁面３１１は、ヒール側にいくにしたがって高さが低くなっているため、トゥ側のわずかな部分にのみ、第１壁面と第１部位３２１との間には隙間部３５が形成されている。したがって、第１壁面３１１の大部分は、図８に示すように、第１壁面３１１と第１部位３２１の内壁面とが連続しており、隙間部３５が形成されていない。
【００３３】
以上のような隙間部３５の幅は、例えば、０．４〜１．５ｍｍとすることが好ましく、０．８〜１．２ｍｍとすることがさらに好ましい。
【００３４】
そして、この第１溝部３２には、着色された装飾用塗料８が充填されている。装飾用塗料８の組成は、特には限定されないが、例えば、ウレタン系樹脂、アクリル系樹脂、ポリエステル系樹脂、エポキシ系樹脂等をベース樹脂とする塗料を用いることができる。また、このような塗料は、一液性硬化型、二液性硬化型、または加熱硬化型など種々のものを用いることができる。
【００３５】
第２溝部３３は、隆起部３１の第４壁面３１４に沿って形成されているが、隙間部３５は形成されておらず、第４壁面３１４と第２溝部３３の内壁面とが連続している。また、この第２溝部３３には装飾用塗料８は入っていない。
【００３６】
＜３．ゴルフクラブヘッドの組立構造及び製造方法＞
本実施形態に係るゴルフクラブヘッド１０は、種々の組み立て構造とすることができる。例えば、フェース部１に開口を形成し、この開口にフェース部材を嵌め込み、溶接によって固定した構造とすることができる。フェース部材は、例えば、鍛造製法や、平板のプレス加工、鋳造等により製造することができる。一方、フェース部材以外の部分は、公知のロストワックス精密鋳造法などの鋳造によって製造することができる。
【００３７】
あるいは、フェース部１及びその周縁から突出する周縁部を備えたカップ状のフェース部材を形成し、これをクラウン部２及びソール部３のフェース側に形成された開口に取り付ける、いわゆるカップフェース構造とすることもできる。この場合も、フェース部材は、上記のように、鍛造製法や、平板のプレス加工、鋳造等により製造することができ、その他の部分は、上記のような精密鋳造法により形成することができる。
【００３８】
以上のように形成されたゴルフクラブヘッドの表面には、所定の塗料が塗布され乾燥された後、第１溝部３２に上述した装飾用塗料８が塗布される。この方法について、図１１Ａ〜図１１Ｄを参照しつつ説明する。なお、図１１Ａ〜図１１Ｄは、図６に示す断面を例にしているが、他の断面においても同様である。
【００３９】
まず、図１１Ａに示すように、液状の装飾用塗料８が収容された色入れ具６のペン先６１から装飾用塗料８を吐出し、第１溝部３２に装飾用塗料８を塗布する。すなわち、色入れ具６を第１溝部３２に沿って移動させながら、ペン先６１から装飾用塗料８を吐出し、第１溝部３２の全周に亘って装飾用塗料８を塗布する。このとき、図１１Ｂに示すように、装飾用塗料８が、第１溝部３２から溢れるように塗布する。これにより、装飾用塗料８は、第１溝部３２のほか、隙間部３５，第２壁面３１２、及び第１溝部３２を挟んで隙間部３５とは反対側のソール部３の表面にも塗布される。次に、図１１Ｃに示すように、装飾用塗料８が硬化する前に、溶剤などを浸したウエス９により、第１溝部３２から溢れた装飾用塗料８を拭き取る。これにより、図１１Ｄに示すように、溢れた装飾用塗料８が拭き取られ、装飾用塗料８は、第１溝部３２にのみ充填された状態となる。その後、装飾用塗料８を乾燥して硬化させれば、ゴルフクラブヘッドが完成する。なお、必要に応じて、マーク７にも塗料を塗布することもできる。
【００４０】
＜４．特徴＞
以上の実施形態によれば、次の効果を得ることができる。
【００４１】
(1) ソール部３に隆起部３１を形成しているため、重量が付加され、ヘッド１０の低重心化を図ることができる。特に、トゥ側の重量が付加されるため、ヘッド１０の左右の慣性モーメントを向上することもできる。また、隆起部３１の高さは、概ねトゥ側にいくにしたがって高くなるため、慣性モーメントの向上の効果を高めることができる。
【００４２】
(2) 隆起部３１の周囲を囲むように装飾用塗料８が塗布されているため、隆起部３１が強調され、見栄えをよくすることができる。特に、ソール部３に重量が付加されている領域が形成されていること、つまりヘッド１０の性能が高いことを強調することができる。
【００４３】
(3) 隆起部３１と第１溝部３２との間の一部に隙間部３５を形成しているため、図１１Ｃに示すように、ウエス９を、第１溝部３２を挟んで隙間部３５とソール部３の表面の両方に沿わせながら、溢れた装飾用塗料８を拭き取ることができる。そのため、第１溝部３２から溢れた装飾用塗料８をきれいに拭き取ることができる。例えば、このような隙間部３５が設けられていないと、ウエス９が第１溝部３２に入り込んで、第１溝部３２の内部の装飾用塗料８まで拭き取ったり、あるいは拭き取りの程度が調整しがたく、隆起部３１の壁面３１２に装飾用塗料８が残るおそれがある。したがって、隙間部３５を設けることで、第１溝部３２の内部の装飾用塗料８が過度に拭き取られたり、あるいは隆起部３１の壁面３１２に装飾用塗料８が残るのを防止することができる。
【００４４】
なお、隙間部３５の幅が広すぎると、隆起部３１と第１溝部３２との間が広くなり、上述した隆起部３１の強調効果が低減するおそれがある。一方、隙間部３５の幅が狭すぎると、装飾用塗料８の拭き取りに係る上記効果が低減するおそれがある。この観点から、隙間部３５の幅は、上述した範囲にすることが好ましい。
【００４５】
ところで、本実施形態においては、隆起部３１の高さが低い第１壁面３１１と第１溝部３２との間の大半には隙間部３５が形成されていないが、これは、上記のように、高さの低い第１壁面３１１には、装飾用塗料が残りにくいからである。
【００４６】
＜５．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４７】
＜５−１＞
隆起部３１の形状、位置、数は、特には限定されず、例えば、ヒール側に形成することもできる。また、隆起部３１の高さも特には限定されず、上記実施形態のように変化してもよいし、全周に亘って一定であってもよい。また、複数の隆起部が形成された場合、各隆起部それぞれの周囲の少なくとも一部に溝部が形成されてもよいし、複数の隆起部の周囲の少なくとも一部を囲むような溝部を設けることもでき、このような種々の態様の溝部に付随して隙間部を形成することができる。
【００４８】
＜５−２＞
上記実施形態では、隆起部３１の一部の壁面（第１〜第３壁面３１１〜３１３）に沿って第１溝部３２を形成しているが、隆起部３１の全周に沿うように第１溝部３２を形成することもできる。また、隙間部３５は、隆起部３１と第１溝部３２の間の一部に形成しているが、隆起部３１と第１溝部３２の間の全てに形成することもできる。
【００４９】
＜５−３＞
上記実施形態では、隙間部３５と、第１溝部３２を挟んで反対側のソール部３の表面との高さが概ね同じであるが、これらが相違していてもよい。例えば、図１２Ａに示すように、隙間部３５をソール部３の表面より高くしたり、あるいは、図１２Ｂに示すように、ソール部３の表面を隙間部３５よりも高くすることもできる。但し、これらの差が大きすぎると、上述した拭き取りに係る効果が低減するため、例えば、これらの差は、０．１〜０．５ｍｍ程度とすることが好ましい。
【００５０】
＜５−４＞
ソール部３の表面の形状は、少なくとも隆起部３１と第１溝部３２とが形成されていればよく、その他の凹凸、溝、固定穴３８などの形状、有無は、適宜要求される性能や、デザインに応じて適宜変更することができる。したがって、例えば、第２溝部３３を設けないようにすることもできる。また、クラウン部２の形状も同様に変更することができる。
【００５１】
＜５−５＞
隆起部３１に設けているマーク７は、種々のものが可能であり、ブランドに関するロゴ、ロフト角、バンス角など、ゴルフクラブに関連する種々のマークを形成することができ、その数も特には限定されない。なお、マークとは、文字、数字、図形などの種々の表示を含む。但し、このようなマークを形成しないこともできる。また、本発明の第２のゴルフクラブヘッドのように、ソール部３に少なくとも一つの隆起部を形成し、その隆起部の上壁部にマーク、つまり、ゴルフクラブヘッドに関連する表示を、凸状、凹状、または塗料による着色などによって設けたものとすることもできる。すなわち、溝部や隙間部を設けず、あるいは溝部のみを設けたゴルフクラブヘッドとすることもできる。
【００５２】
＜５−６＞
装飾用塗料８の拭き取りは、上記のようなウエス９のほか、布などの織布、樹脂材料など種々のシート状材料を用いることができる。
【符号の説明】
【００５３】
１  フェース部
２  クラウン部
３  ソール部
３１  隆起部
３２  第１溝部（溝部）
３５  隙間部
【図１】
2020174896.tif 000003
【図２】
2020174896.tif 000004
【図３】
2020174896.tif 000005
【図４Ａ】
2020174896.tif 000006
【図４Ｂ】
2020174896.tif 000007
【図５】
2020174896.tif 000008
【図６】
2020174896.tif 000009
【図７】
2020174896.tif 000010
【図８】
2020174896.tif 000011
【図９】
2020174896.tif 000012
【図１０】
2020174896.tif 000013
【図１１Ａ】
2020174896.tif 000014
【図１１Ｂ】
2020174896.tif 000015
【図１１Ｃ】
2020174896.tif 000016
【図１１Ｄ】
2020174896.tif 000017
【図１２Ａ】
2020174896.tif 000018
【図１２Ｂ】
2020174896.tif 000019